(57)【要約】【課題】搬送が容易で且つ大量の湯を供給することができるボイラ装置及び簡易給湯装置を提供する。【解決手段】加熱した湯を供給する可搬式の簡易給湯装置１に用いられるボイラ装置２において、１つの筐体内に複数のボイラ２ａ，２ｂを備えるボイラ装置２とする。また、加熱した湯を供給する可搬式の簡易給湯装置１において、上記の構成を有するボイラ装置２と、このボイラ装置２に供給する燃料を収容する燃料収容手段３と、ボイラ装置２により加熱された湯を浴槽１０に供給する第１の湯供給手段（６，１４）と、浴槽１０内の湯を加熱する熱交換器４ａを有する風呂昇温手段４と、ボイラ装置により加熱された湯を熱交換器４ａに供給する第２の湯供給手段（９）とを備える簡易給湯装置１とする。【選択図】図１
2007292361.tif 000002
【特許請求の範囲】
【請求項１】
加熱した湯を供給する可搬式の簡易給湯装置に用いられるボイラ装置において、
１つの筐体内に複数のボイラを備えることを特徴とするボイラ装置。
【請求項２】
前記複数のボイラよりも少ない数の排気筒を備えることを特徴とする請求項１記載のボイラ装置。
【請求項３】
前記複数のボイラを操作する単一の操作部を備えることを特徴とする請求項１又は請求項２記載のボイラ装置。
【請求項４】
加熱した湯を供給する可搬式の簡易給湯装置において、
請求項１から請求項３のいずれか１項記載のボイラ装置と、
該ボイラ装置に供給する燃料を収容する燃料収容手段と、
前記ボイラ装置により加熱された湯を浴槽に供給する第１の湯供給手段と、
前記浴槽内の湯を加熱する熱交換器を有する風呂昇温手段と、
前記ボイラ装置により加熱された湯を前記熱交換器に供給する第２の湯供給手段と
を備えることを特徴とする簡易給湯装置。
【請求項５】
加熱した湯を供給する可搬式の簡易給湯装置において、
請求項１から請求項３のいずれか１項記載のボイラ装置と、
該ボイラ装置に供給する燃料を収容する燃料収容手段と、
前記ボイラ装置により加熱された湯を供給されるシャワー装置と
を備えることを特徴とする簡易給湯装置。
【請求項６】
加熱した湯を供給する可搬式の簡易給湯装置において、
請求項１から請求項３のいずれか１項記載のボイラ装置と、
該ボイラ装置に供給する燃料を収容する燃料収容手段と、
前記ボイラ装置により加熱された湯を供給される給湯架台と
を備えることを特徴とする簡易給湯装置。
【発明の詳細な説明】
【技術分野】
【０００１】
本発明は、ボイラ装置及びこのボイラ装置を備える簡易給湯装置に関し、更に詳しくは、災害時等に用いられる可搬式のボイラ装置及び簡易給湯装置に関する。
【背景技術】
【０００２】
従来、災害の発生時等に、可搬式の簡易給湯装置が使用されている。この簡易給湯装置は、例えば被災者の洗面・洗浄用に、入浴用に或いはシャワー用に、湯を供給するため使用される。また、簡易給湯装置は、搬送を容易にするため、ボイラ装置、燃料収容手段等のユニット毎に分解されて収容されており、一般の成人が容易に組立てることができるように各ユニットを結ぶホース等が着脱自在に構成されている。
【０００３】
簡易給湯装置は、上記のように災害の発生時等に用いるものであるため、無資格者であっても使用可能な、法基準を満たしたボイラ装置を有しているのが一般的である。しかし、この法基準を満たしたボイラ装置では、比較的大規模な災害が発生した場合に必要とされる大量の湯を供給することができない。そのため、上記のボイラ装置（温水発生機）を２つ併用する技術が開示されている（例えば、特許文献１，２参照）。
【特許文献１】特許第２８８７７８１号公報（段落［０００６］等、第１図）
【特許文献２】特許第２８８７７８２号公報（段落［００１２］等、第１図）
【発明の開示】
【発明が解決しようとする課題】
【０００４】
ところで、上記特許文献１及び特許文献２の技術は、湯の供給量増加、組立て容易等の有効な効果を奏するが、２つのボイラを併用していることに起因して、ボイラ間に配管を余計に必要とし、更には、操作部、排気筒等をボイラ毎に設けなければならず、簡易給湯装置の小型化を阻害して搬送を困難にするという問題があった。
【０００５】
本発明の課題は、上記従来の実情に鑑み、搬送が容易で且つ大量の湯を供給することができるボイラ装置及び簡易給湯装置を提供することである。
【課題を解決するための手段】
【０００６】
上記課題を解決するために、本発明のボイラ装置は、加熱した湯を供給する可搬式の簡易給湯装置に用いられるボイラ装置において、１つの筐体内に複数のボイラを備える構成とする。
【０００７】
上記構成によれば、１つの筐体内に複数のボイラを備えるため、操作部や排気筒を共通化することができると共に、複数のボイラ間を接続する配管を省略することができる。したがって、搬送の容易化、装置の小型化及び操作の容易化を図ることができる。
【０００８】
好ましくは、上記複数のボイラよりも少ない数の排気筒を備える構成とする。
好ましくは、上記複数のボイラを操作する単一の操作部を備える構成とする。
【０００９】
上記課題を解決するために、本発明の第１の簡易給湯装置は、加熱した湯を供給する可搬式の簡易給湯装置において、上記いずれかの構成のボイラ装置と、このボイラ装置に供給する燃料を収容する燃料収容手段と、上記ボイラ装置により加熱された湯を浴槽に供給する第１の湯供給手段と、上記浴槽内の湯を加熱する熱交換器を有する風呂昇温手段と、上記ボイラ装置により加熱された湯を上記熱交換器に供給する第２の湯供給手段とを備える構成とする。
【００１０】
上記課題を解決するために、本発明の第２の簡易給湯装置は、加熱した湯を供給する可搬式の簡易給湯装置において、上記いずれかの構成のボイラ装置と、このボイラ装置に供給する燃料を収容する燃料収容手段と、上記ボイラ装置により加熱された湯を供給されるシャワー装置とを備える構成とする。
【００１１】
上記課題を解決するために、本発明の第３の簡易給湯装置は、加熱した湯を供給する可搬式の簡易給湯装置において、上記いずれかの構成のボイラ装置と、このボイラ装置に供給する燃料を収容する燃料収容手段と、上記ボイラ装置により加熱された湯を供給される給湯架台とを備える構成とする。
【発明の効果】
【００１２】
本発明のボイラ装置及び簡易給湯装置では、ボイラ装置が１つの筐体内に複数のボイラを備えるため、操作部や排気筒を共通化することができると共に、複数のボイラ間を接続する配管を省略することができる。したがって、装置の小型化、搬送の容易化及び操作の容易化を図ることができる。また、複数のボイラを備える法基準を満たしたボイラ装置を用いることにより、災害時等に有資格者が居合わせなくとも、大量の湯を供給することができる。よって、本発明のボイラ装置及び簡易給湯装置によれば、搬送を容易にすることができると共に、無資格者であっても大量の湯を供給することができる。
【発明を実施するための最良の形態】
【００１３】
以下、本発明の一実施の形態に係るボイラ装置及び簡易給湯装置について、図面を参照しながら説明する。
図１は、本発明の一実施の形態に係る簡易給湯装置を示す概略図である。
【００１４】
同図において、簡易給湯装置１は、ボイラ装置２、燃料収容手段３、風呂昇温手段４等を備えている。ボイラ装置２は、詳しくは後述するが、１つの筐体からなり、複数のボイラとしてここでは第１ボイラ２ａ及び第２ボイラ２ｂを有している。また、ボイラ装置２は、例えば３本の給水ホース５のうちの１本のホース５ａから減圧弁２ｃを介して水を供給され、この水を加熱してなる湯を第１の湯供給手段としての給湯ホース６を介してシャワー装置７に供給している。なお、ボイラ装置２に水を供給する以外の給水ホース５は、同図においてはボイラ装置２内を通過するように図示されていないが、実際にはボイラ装置２内を加熱されずに通過し、シャワー装置７に水を供給している。また、ボイラ装置２の下端には、搬送を容易にするためのキャスター２ｄが設けられている。
【００１５】
燃料収容手段３は、送油ホース８を介してボイラ装置２に例えば灯油を供給している。送油ホース８には、ボイラ装置２に供給する灯油をフィルター等により濾過するオイルストレーナ８ａが配設されている。なお、燃料収容手段３の下端にも、キャスター３ａが設けられている。
【００１６】
風呂昇温手段４は、熱交換器４ａ及び濾過器４ｂを有している。熱交換器４ａは、逃し弁６ａと共に給湯ホース６に接続される第２の湯供給手段としての熱交換用循環ホース９を通って供給される湯により、浴槽昇温用ホース１１内を循環する浴槽１０の湯を加熱している。濾過器４ｂは、浴槽昇温用ホース１１内を循環する浴槽１０の湯をフィルターにより濾過している。
【００１７】
ここで、熱交換用循環ホース９内を循環する湯は、ポンプ９ａにより循環しており、熱交換器４ａにおいて熱交換を行った後の湯は再度ボイラ装置２により加熱される。また、浴槽１０の湯は、ポンプ１１ａにより浴槽昇温用ホース１１内を循環することにより、濾過器４ｂにより濾過され、熱交換器４ａにおいて加熱されている。なお、風呂昇温手段４の下端にも、キャスター４ｃが設けられている。
【００１８】
シャワー装置７及び浴槽１０は、テント１２内に設置されている。シャワー装置７は、給水ホース５から供給される水と、ボイラ装置２により加熱され給湯ホース６から供給される湯とを供給する。浴槽１０は、風呂用耐水ホース１３及び風呂用耐湯ホース１４によりそれぞれ給水ホース５及び給湯ホース６から取り込まれる水及び湯を、貯留している。ここで、風呂用耐水ホース１３及び風呂用耐湯ホース１４に取り込まれた水及び湯は、風呂用耐水ホース１３及び風呂用耐湯ホース１４の先端に配設される混合栓１５により混合され、蛇口等の供給部１６から供給されて浴槽１０に貯留される。
【００１９】
なお、給水ホース５、給湯ホース６、送油ホース８、熱交換用循環ホース９、浴槽昇温用ホース１１、風呂用耐水ホース１３及び風呂用耐湯ホース１４には、接続部Ａ〜Ｈが設けられている。これら接続部Ａ〜Ｈは、一般の成人が容易に着脱を行えるように、工具が不要な嵌め込み式等になっており、簡易給湯装置１の組み立ての容易化が図られている。
【００２０】
図２Ａは、上記簡易給湯装置のボイラ装置の内部構成を示す正面図である。
同図において、ボイラ装置２は、１つの筐体２ｅからなり、第１ボイラ２ａ及び第２ボイラ２ｂを有している。ボイラ装置２の正面上部には、単一の操作部１７、中継基板１８、コントロールリレー１９，１９、電源端子台２０等が配置されている。
【００２１】
操作部１７は、電源スイッチ、温度調節つまみ、電源ランプ、燃焼ランプ、水位警報ランプ等を有している。操作部１７は、第１ボイラ２ａ及び第２ボイラ２ｂの共通の操作部となっている。中継部１８は、第１ボイラ２ａ及び第２ボイラ２ｂのバーナ等を制御するコントロールリレー１９，１９に、操作部１７の温度調整つまみにおいて設定された温度の情報等を中継している。また、電源端子台２０には、電源配線が収容されている。
【００２２】
また、同図における操作部１７等の下方（実際には、奥まって配置されている。）には、第１ボイラ２ａ及び第２ボイラ２ｂそれぞれに、バーナ送風機２１，２２、エアシャッター２３，２４、電磁ポンプ２５，２６、オイルストレーナ２７，２８等が配設されている。バーナ送風機２１，２２は、エアシャッター２３，２４により空気量を調整されながら、燃焼に必要となる空気を不図示のバーナに供給している。電磁ポンプ２５，２６は、図１に示す燃料収容手段３から送油ホース８を介して供給されオイルストレーナ２７，２８により不純物の取り除かれた灯油を、上記のバーナに供給している。
【００２３】
なお、上述のように、ボイラ装置２の下端には、搬送を容易にするためのキャスター２ｄが設けられている。また、ボイラ装置２の上部には、２つのボイラ２ａ，２ｂからの排気ガスを共通して排出する排気筒２９が突出して位置している。この排気筒２９は、着脱可能となっており、筐体２ｅ内に収容可能となっている。ここで、排気筒２９は、ボイラ２ａ，２ｂの数よりも少ない数として１つのみ設けられているが、例えばボイラが４つのときは、排気筒を２つ又は３つにすることでも、ボイラ毎の排気筒の設置を避けることができ有効である。
【００２４】
図２Ｂは、上記ボイラ装置の内部構成を示す平面図である。図２Ｃは、図２ＢのII−II断面図である。
図２Ｂにおいて、ボイラ装置２には、例えば３本の給水ホース５から水が供給され、その半分の量の水は、加熱されることなく、図１に示すシャワー装置７に供給されている。シャワー装置７にそのまま供給されない残りの水は、図１に示す熱交換器４ａにて熱交換が行われた後に熱交換用循環ホース９から戻ってくる湯と共に、第１ボイラ２ａ及び第２ボイラ２ｂの缶体３０，３１において加熱される。
【００２５】
図２Ｃにおいて、缶体３０，３１（同図では手前側の缶体３１のみ見える。）の下部側方にはそれぞれ燃焼部３２，３３が配設されており、これら燃焼部３２，３３は、缶体３０，３１内に設けられた煙管３４，３５の周りを通過する水を加熱している。このように加熱された湯は、給湯ホース６を通ってシャワー装置７に供給される。ここで、ボイラ装置２から出た直後の給湯ホース６には、熱交換用循環ホース９が接続されてあり、加熱された湯は、図１に示す熱交換器４ａにおける熱交換にも用いられる。なお、ボイラ装置２には、給水ホース５から供給される水に含まれるゴミを取り除く給水トレーナ３６、水圧が所定範囲を超えた場合に作動する安全弁３７や、缶体３０，３１における燃焼に伴い発生する水を排出する排水バルブ３８等も設けられている。
【００２６】
ここで、ボイラ装置２は、最高圧力０．２ＭＰａ、最大熱出力８８ｋＷ、重量１０３ｋｇ、高さ９６０ｍｍ、幅６８３ｍｍ、奥行き１１５２ｍｍであり、第１ボイラ２ａ及び第２ボイラ２ｂそれぞれの伝熱面積は０．８６ｍ2である。そのため、認可を受けることにより、有資格者でなくとも、ボイラ装置２を使用することが可能となっている。なお、ボイラ装置２を災害用に用いる場合、有資格者が居合わせないことが想定されるため、法基準（労働安全衛生法）に反しない、無資格者でも使用可能な圧力、伝熱面積等に設計されることが望ましい。
【００２７】
本実施の形態のボイラ装置２及び簡易給湯装置１では、ボイラ装置２が１つの筐体２ｅ内に複数のボイラ２ａ，２ｂを備えるため、操作部１７や排気筒２９を共通化することができると共に、複数のボイラ２ａ，２ｂ間を接続する配管を省略することができる。したがって、装置の小型化、搬送の容易化及び操作の容易化を図ることができる。また、複数のボイラ２ａ，２ｂを備える法基準を満たしたボイラ装置２を用いることにより、災害時等に有資格者が居合わせなくとも、大量の湯を供給することができる。よって、本実施の形態のボイラ装置２及び簡易給湯装置１によれば、搬送を容易にすることができると共に、無資格者であっても大量の湯を供給することができる。
【００２８】
また、本実施の形態では、給水ホース５、給湯ホース６、送油ホース８、熱交換用循環ホース９、浴槽昇温用ホース１１、風呂用耐水ホース１３及び風呂用耐湯ホース１４に、工具が不要な接続部Ａ〜Ｈを設けており、一般の成人がホース間の着脱を容易に行うことができる。したがって、災害時等においても容易に簡易給湯装置１を組み立てることができる。
【００２９】
図３は、本発明の他の実施の形態に係る簡易給湯装置を示す概略図である。
同図における簡易給湯装置４１は、図１に示す簡易給湯装置１から風呂昇温手段４、浴槽１０、これらと共に用いるホース９，１１，１３，１４及びテント１２を取り外し、シャワーハウス４２を設置した点において、上記実施の形態と異なる。そのため、同一の物には同一の符号を付して詳細な説明は省略する。
【００３０】
簡易給湯装置４１では、ボイラ装置２によって加熱された湯は、給湯ホース６を通って、給水ホース５内の水と共に、シャワーハウス４２内に設置されるシャワー装置７に供給される。ここで、シャワーハウス４２は、以下の図４Ａ乃至図４Ｃに示すように構成される。
【００３１】
図４Ａは、上記簡易給湯装置のシャワーハウスを透視的に示す斜視図である。図４Ｂは、上記シャワーハウスのフレームを示す斜視図であり、図４Ｃは、上記フレームに配設される仕切りカーテン及び仕切り幕を示す斜視図である。
図４Ａに示すシャワーハウス４２は、図４Ｂに示すフレーム４３にビニールシート等からなる天幕４４及び四方幕４５を配置すると共に、図４Ｃに示すビニールシート等からなる仕切り幕４６，４６及び仕切りカーテン４７を配置してなる。
【００３２】
フレーム４３の四隅にはそれぞれ伸縮装置４３ａが配設され、シャワーハウス４２の高さを適宜設定できるようになっている。また、フレーム４３には、シャワー装置７を設置するためのシャワー取付けフレーム４３ｂも配設されている。天幕４４には、光取込み口４４ａ及び通気口４４ｂが形成されている。四方幕４５には、図４Ｃに示す仕切り幕４６，４６に区切られた脱衣所４９へのファスナー式入口部４５ａが形成されている。なお、仕切りカーテン４７は、開閉自在となっており、シャワールーム４８と脱衣所４９とは往来可能となっている。なお、シャワーハウス４２の底にはスノコ等を敷き詰めるとよい。また、シャワーハウス４２は、容易に組立て・分解可能に設計されることが望ましい。
【００３３】
以上説明した本実施の形態に係る簡易給湯装置４１では、図１に示す簡易給湯装置１から、風呂昇温手段４、浴槽１０、これらと共に用いるホース９，１１，１３，１４及びテント１２を取り外し、シャワーハウス４２を設置したことにより、容易にシャワーのみの用途に対応できる。したがって、災害発生からの時間経過、使用人数等を考慮し、適した用途に簡易給湯装置１，４１を容易に配置変更することができる。
【００３４】
図５は、本発明のその他の実施の形態に係る簡易給湯装置を示す概略図である。
同図における簡易給湯装置５１は、図１に示す簡易給湯装置１から風呂昇温手段４、シャワー装置７、浴槽１０、これらと共に用いるホース９，１１，１３，１４及びテント１２に代えて、給湯架台５２を備える点において、上記実施の形態と異なる。そのため、同一の物には同一の符号を付して詳細な説明は省略する。
【００３５】
簡易給湯装置５１では、ボイラ装置２によって加熱された湯は、給湯ホース６を介して、給水ホース５内の水と共に、供給架台５２に供給される。給湯架台５２は、複数の蛇口５２ａを有し、洗面・洗浄用、料理用等に用いられる。
本実施の形態に係る簡易給湯装置５１では、図１に示す簡易給湯装置１から風呂昇温手段４、浴槽１０、これらと共に用いるホース９，１１，１３，１４及びテント１２を取り外し、又は、図３に示す簡易給湯装置４１からシャワー装置７及びシャワーハウス４２を取り外し、給湯架台５２を配置することで、容易に洗面・洗浄等の他の用途に対応できる。したがって、災害発生からの時間経過、使用人数等を考慮し、適した用途に簡易給湯装置１，４１，５１を容易に設置することができる。
【図面の簡単な説明】
【００３６】
【図１】本発明の一実施の形態に係る簡易給湯装置を示す概略図である。
【図２Ａ】上記簡易給湯装置のボイラ装置の内部構成を示す正面図である。
【図２Ｂ】上記ボイラ装置の内部構成を示す平面図である。
【図２Ｃ】図２ＢのII−II断面図である。
【図３】本発明の他の実施の形態に係る簡易給湯装置を示す概略図である。
【図４Ａ】上記簡易給湯装置のシャワーハウスを透視的に示す斜視図である。
【図４Ｂ】上記シャワーハウスのフレームを示す斜視図である。
【図４Ｃ】上記フレームに配設される仕切りカーテン及び仕切り幕を示す斜視図である。
【図５】本発明のその他の実施の形態に係る簡易給湯装置を示す概略図である。
【符号の説明】
【００３７】
１      簡易給湯装置
２      ボイラ装置
２ａ      第１ボイラ
２ｂ      第２ボイラ
２ｃ      減圧弁
２ｄ      キャスター
２ｅ      筐体
３      燃料収容手段
３ａ      キャスター
４      風呂昇温手段
４ａ      熱交換器
４ｂ      濾過器
４ｃ      キャスター
５      給水ホース
６      給湯ホース
６ａ      逃し弁
７      シャワー装置
８      送油ホース
８ａ      オイルストレーナ
９      熱交換用循環ホース
９ａ      ポンプ
１０      浴槽
１１      浴槽昇温用ホース
１１ａ      ポンプ
１２      テント
１３      風呂用耐水ホース
１４      風呂用耐湯ホース
１５      混合栓
１６      供給部
１７      操作部
１８      中継基板
１９      コントロールリレー
２０      電源端子台
２１，２２      バーナ送風機
２３，２４      エアシャッター
２５，２６      電磁ポンプ
２７，２８      オイルストレーナ
２９      排気筒
３０，３１      缶体
３２，３３      燃焼部
３４，３５      煙管
３６      給水ストレーナ
３７      安全弁
３８      排水バルブ
４１      簡易給湯装置
４２      シャワーハウス
４３      フレーム
４３ａ      伸縮装置
４３ｂ      シャワー取付けフレーム
４４      天幕
４４ａ      光取込み口
４４ｂ      通気口４４
４５      四方幕
４５ａ      ファスナー式入口部
４６      仕切り幕
４７      仕切りカーテン
４８      シャワールーム
４９      脱衣所
５１      簡易給湯装置
５２      給湯架台
Ａ，Ｂ，Ｃ，Ｄ，Ｅ，Ｆ，Ｇ，Ｈ，Ｉ，Ｊ      接続部
【図１】
2007292361.tif 000003
【図２Ａ】
2007292361.tif 000004
【図２Ｂ】
2007292361.tif 000005
【図２Ｃ】
2007292361.tif 000006
【図３】
2007292361.tif 000007
【図４Ａ】
2007292361.tif 000008
【図４Ｂ】
2007292361.tif 000009
【図４Ｃ】
2007292361.tif 000010
【図５】
2007292361.tif 000011